(57)【要約】【課題】  簡素な構成にした入浴用リフト装置と小型浴槽とで構成した入浴装置を提供する。【構成】  浴槽（３）と、浴槽（３）に設けられる入浴用リフト装置（４）とからなる椅子部付リフト入浴装置（１）において、入浴用リフト装置（４）は、昇降柱（１３）と、昇降柱（１３）に回動可能に支持されるリフトアーム（１４）と、リフトアーム（１４）の先端に取着される椅子部（２）とからなり、椅子部（２）は、背凭れ（４１）と、背凭れ（４１）の下端に回動可能に軸支される座部（４２）とからなり、入浴用リフト装置（４）を使用しない時には、座部（４２）を折り畳んだ後、リフトアーム（１４）に対して椅子部（２）を回動させ、座部（４２）を浴槽（３）外方へ移動できる椅子部付リフト入浴装置である。【選択図】      図１
2005245768.tif 000002
【特許請求の範囲】
【請求項１】
浴槽（３）と、浴槽（３）に一体又は別体に設けられる入浴用リフト装置（４）からなる椅子部付リフト入浴装置（１）において、入浴用リフト装置（４）は、シリンダ（１３）と、シリンダ（１３）に回動可能に支持されるリフトアーム（１４）と、リフトアーム（１４）の先端に取着される椅子部（２）とからなり、椅子部（２）は、背凭れ（４１）と、背凭れ（４１）の下端に回動可能に軸着される座部（４２）とからなり、入浴用リフト装置（４）を使用しない時には、座部（４２）を折り畳んだ後、リフトアーム（１４）に対して椅子部（２）を回動させ、座部（４２）を浴槽（３）外方へ移動できる椅子部付リフト入浴装置。
【請求項２】
浴槽（３）と、浴槽（３）に設けられる入浴用リフト装置（４）とからなる椅子部付リフト入浴装置（１）において、入浴用リフト装置（４）は、シリンダ（１３）と、シリンダ（１３）に回動可能に支持されるリフトアーム（１４）と、リフトアーム（１４）の先端に取着される椅子部（２）とからなり、椅子部（２）は、背凭れ（４１）と、背凭れ（４１）の下端に回動可能に軸支される座部（４２）とからなり、座部（４２）に入浴者の下肢を持ち上げる下肢持上機構（８３）を付加設置することを特徴とする椅子部付リフト入浴装置。
【請求項３】
下肢持上機構（８３）を、座部（４２）の前部に回動可能に取着された脚部受け（４８）と、座部（４２）に取着され前記脚部受け（４８）を上下動させる操作部（５０）とで構成することを特徴とする請求項２記載の椅子部付リフト入浴装置。
【請求項４】
下肢持上機構（８３）を、座部（４２）に載設される空気袋（６５）と、空気袋（６５）に空気を導くチューブ（７７）と、空気袋（６５）に空気を注入し又は排気をする注入排気弁（８４）と、空気袋（６５）に供給するための圧縮空気を作る空気圧縮機（７８）とで構成することを特徴とする請求項２記載の椅子部付リフト入浴装置。
【請求項５】
浴槽（３）と、浴槽（３）に設けられる入浴用リフト装置（４）とからなる椅子部付リフト入浴装置（１）において、入浴用リフト装置（４）のシリンダ（１３）は、固定柱（５９）に昇降柱（５８）を昇降可能に組み合わしており、前記シリンダ（１３）には昇降柱（５８）及び椅子部（２）が固定柱（５９）に対して回動しない回動阻止機構（５６）が設けられていることを特徴とする椅子部付リフト入浴装置。
【発明の詳細な説明】
【技術分野】
【０００１】
本発明は、身体障害者や養護老人等（以下入浴者という）を入浴用リフトを用いて入浴を介助する椅子部付リフト入浴装置に関するものである。
【背景技術】
【０００２】
従来の技術の特開２００１−７９０６０号公報に開示されたものは、入浴用の椅子に、入浴者を乗せ、その椅子を回動させて浴槽の側壁上縁を越える時に、椅子をリクライニングさせることができるものである。
この従来装置によれば、入浴者を高く上げることなく浴槽の側壁上縁を越えることができる。
【特許文献１】特開２００１−７９０６０号公報
【発明の開示】
【発明が解決しようとする課題】
【０００３】
従来装置によれば、入浴者を高く上げることなく浴槽の側壁上縁を越えることができるが、リクライニングさせる機構はガススプリングを設けた大掛かりなものとなり、又、リクライニング姿勢で入浴するので、浴槽は長尺なものが必要となり、簡易な構成の小型浴槽を提供するには不都合な構成であった。
【課題を解決するための手段】
【０００４】
本発明は、浴槽（３）と、浴槽（３）に一体又は別体に設けられる入浴用リフト装置（４）からなる椅子部付リフト入浴装置（１）において、入浴用リフト装置（４）は、シリンダ（１３）と、シリンダ（１３）に回動可能に支持されるリフトアーム（１４）と、リフトアーム（１４）の先端に取着される椅子部（２）とからなり、椅子部（２）は、背凭れ（４１）と、背凭れ（４１）の下端に回動可能に軸着される座部（４２）とからなり、入浴用リフト装置（４）を使用しない時には、座部（４２）を折り畳んだ後、リフトアーム（１４）に対して椅子部（２）を回動させ、座部（４２）を浴槽（３）外方へ移動できる椅子部付リフト入浴装置である。
又、座部（４２）に入浴者の下肢を持ち上げる下肢持上機構（８３）を付加設置する。
更に、下肢持上機構８３を、座部（４２）の前部に回動可能に取着された脚部受け（４８）と、座部（４２）に取着され前記脚部受け（４８）を上下動させる操作部（５０）とで構成する。
或いは、下肢持上機構８３を、座部（４２）に載設される空気袋（６５）と、空気袋（６５）に空気を導びくチューブ（７７）と、空気袋（６５）に空気を注入し又は排気をする注入排気弁（８４）と、空気袋（６５）に供給するための圧縮空気を作る空気圧縮機（７８）とで構成する。
更に又、浴槽（３）と、浴槽（３）に設けられる入浴用リフト装置（４）とからなる椅子部付リフト入浴装置（１）において、入浴用リフト装置（４）の昇降柱（１３）は、固定柱（５９）に移動柱（５８）を昇降可能に組み合わしており、
前記シリンダ（１３）には昇降柱（５８）及び椅子部（２）が固定柱（５９）に対して回動しない回動阻止機構（５６）が設けられている。
【発明の効果】
【０００５】
本発明は、入浴用リフト５を使用しない時には、座部４２の先端を上昇させ折り畳んだ後、リフトアーム１４に対して椅子部２を水平方向に回動させ、座部４２を浴槽３外方へ移動できるから、入浴用リフト５を使用しない入浴者にとって、入浴の邪魔にならず、入浴中に座部４２の先端部が不意に落ちて来ても、浴槽３外方に倒れるので、入浴者には安全であり、好都合である。
【０００６】
本発明に係る座部４２に入浴者の下肢を持ち上げる下肢持上機構８３を付加設置したものであるから、入浴者の下肢を持ち上げることができ、浴槽３の側壁上縁４６を安全に越えることができ、好都合である。
【０００７】
本発明に係る脚部受け４８は、座部４２の前部に回動可能に軸支されており、脚部受け４８の遊端側（＝先部）を昇降させるハンドル５１が設けられてなり、このハンドル操作により、脚部受け４８の遊端側を上昇させ、入浴者の下肢を持ち上げることができる。本発明は上述の入浴者の下肢を持ち上げる構成を、簡易に製作でき、好都合である。
【０００８】
又、ハンドル５１を回動させるだけの軽微な労力で下肢を持ち上げることができ、好都合である。又、椅子部２を、浴槽３の長手側壁上縁４６を越えさせる時、入浴者を高く上げないで済み、入浴者に恐怖感を起こさせることなく、入浴者を安心させて安全に行なうことができ、入浴者を安心させて入浴を実施でき、好都合である。
【０００９】
本発明に係る下肢持上機構８３を、座部４２に載設される空気袋６５としたので、空気袋に空気を充満し該空気袋を膨張させて入浴者の下肢を上昇させることが注入排気弁の簡単な操作で出来、好都合である。
【００１０】
本発明に係る入浴用リフト５のシリンダには、回動阻止機構５６が設けられ、シリンダ１３の昇降時に昇降柱５８が固定柱５９に対して回動しないから、昇降柱５８を昇降させた時に、入浴用リフト５が所定の経路を昇降動し、昇降中に椅子部２の向きが所定の経路からずれることはなく、安全であり、又、昇降後に椅子部２の向きを修正することもないから、椅子部２の昇降操作が楽であり、好都合である。
【発明を実施するための最良の形態】
【００１１】
リフト入浴装置を用いた入浴の安全を図り、リフト入浴装置を小型化するという目的を、椅子部２を浴槽３の外方へ回転させること、及び脚部受け４８を回動し上昇させることにより、実現した。
【実施例１】
【００１２】
図１乃至６に示す椅子部付リフト入浴装置１は、椅子部２に入浴者を乗せ、該椅子部２を、回動させて浴槽３上方に移送し、続いて椅子部２を下降させ、入浴者を浴槽３に浸け、入浴させるものである。椅子部付リフト入浴装置１は、浴槽３と、浴槽３の側部に載置される入浴用リフト装置４とからなる。入浴用リフト装置４は、入浴用リフト５と、入浴用リフト５を立設支持するベース部７とからなる。
【００１３】
ベース部７は浴槽３の短手側壁８に接近させて洗い場９に載置し、ベース部７の一端部に入浴用リフト５が立設される。ベース部７の一端から浴槽３の長手側壁１０に沿って浴槽側転倒防止脚１１が適宜長延設され洗い場９に置かれる。更に、ベース部７の一端から浴槽側転倒防止脚１１とは直角に洗い場側転倒防止脚１２が、適宜長延設され洗い場９に置かれる。
【００１４】
入浴用リフト５は、シリンダ１３と、該シリンダ１３の上部に回動可能に取着されるリフトアーム１４と、リフトアーム１４の先部に回動可能に取着され浴槽３外方へ移動できる椅子部２とからなる。
【００１５】
図６に示すようにシリンダ１３は、内側にあって昇降する昇降柱５８と、該昇降柱５８の外側にあって昇降柱５８を収容する固定柱５９と、固定柱５９の内部に立設されるキー柱６２から構成される。固定柱５９の内側壁には、昇降柱５８の外側壁と摺動しつつ液密を図るシール７９が設けられる。固定柱５９及びキー柱６２がベース部７に立設固定され、昇降柱５８が固定柱５９とキー柱６２の間に位置して昇降する。
【００１６】
回動阻止機構５６をキー機構５７で作っている。昇降柱５８の下部６０にキー６１が中心に向かって突状に形成され、該キー６１がキー柱６２の外壁に形成されたキー溝６３にスライド自在に嵌っている。昇降柱５８の下部６０には油通路６４が開設される。圧油が空間８７、昇降柱５８と固定柱５９との空間３６、及び昇降柱５８内に圧注されると、昇降柱５８が上昇する。上記上昇中に、昇降柱５８はキー機構５７の作用により固定柱５９に対して回動しない。
【００１７】
リフトアーム１４は、昇降柱５８の頂部に該昇降柱５８に対して回動自在に取着されるアームハウジング２１と、該アームハウジング２１から延設されるアーム２２と、該アーム２２の先端に回動可能に外嵌される椅子部固定ブラケット２３とからなる。
【００１８】
アームハウジング２１と昇降柱５８との間には、昇降柱５８に対するリフトアーム１４の回動を制止するストッパー機構２４が設けられ、アーム２２と椅子部固定ブラケット２３との間には、アーム２２に対する椅子部固定ブラケット２３の回動を制止する椅子ストッパー機構２５が設けられる。
【００１９】
図４に示すように、ストッパー機構２４は、昇降柱５８に固定されるストッパーブラケット２６と、該ストッパーブラケット２６に上下方向へ進退可能に取着されるアーム２２の回転位置決め用のストッパーピン３１と、該ピン３１の進退移動を操作するストッパーハンドル３２と、アームハウジング２１に固定されるプレート２９と、該プレート２９に開設され前記ストッパーピン３１が嵌入する孔３０とからなる。
【００２０】
前記ストッパーブラケット２６には、ブラケット３４が軸８６で回動可能に軸着され、該ブラケット３４の外側にストッパーハンドル３２が軸６で回動可能に軸着されている。更に、ストッパーブラケット２６には、ストッパーハンドル３２を右回転方向に付勢する引張りバネ２８の基端側が取着される。引張りバネ２８の先端側は、ブラケット３４に外側方向に向かって固着された引張りバネ用のフック３５に掛止されている。
【００２１】
ストッパーブラケット２６のストッパーハンドル側には長孔３３が開設され、該長孔３３にストッパーピン３１に固着されたピン２７が挿通され、該ピン２７はブラケット３４の先部側に設けられた切欠に係合している。
ストッパーハンドル３２を押す（図４中、矢印Ｅの方向に押す）と、ストッパーハンドル３２の先端部３２ａによってフック３５が押圧されブラケット３４が左回転し、ピン２７が下方向に押圧されることによりストッパーピン３１が孔３０から抜け出る。これにより、アーム２２の昇降柱５８に対する回転が許容される。
椅子部２を洗い場９側の位置（図２中、Ａに相当する位置）と、浴槽３の上方の位置（図２中、Ｂに相当する位置）と、浴槽３とは１８０度反対側の位置（図２中、Ｃに相当する位置）のいずれかの位置でアーム２２の回転を制止可能なように、三個の孔３０ａ、３０ｂ、３０ｃがプレート２９に開設されている。即ち、椅子部２がＡの位置にある時はストッパーピン３１が孔３０ａに、椅子部がＢの位置にある時はストッパーピン３１が孔３０ｂに、椅子部がＣの位置にある時はストッパーピン３１が孔３０ｃに嵌入している。
【００２２】
次に、椅子ストッパー機構２５について説明する。図５に示すように、椅子ストッパー機構２５は、アーム２２の先端に外嵌され椅子部２が取着される筒状の椅子部固定ブラケット２３と、該ブラケット２３に取着される椅子ストッパーハンドル４０と、該ハンドル４０の操作により上下方向へ進退移動する椅子ストッパーピン３９と、アーム２２に固定される椅子ストッパー部材３７と、該椅子ストッパー部材３７に開設され前記椅子ストッパーピン３９が嵌入する孔３８とからなる。
【００２３】
椅子ストッパーハンドル４０を押し下げると、椅子ストッパーピン３９が孔３８から抜け出る。これにより、椅子部２のアーム２２に対する回動が許容される。
図２に示すように、椅子部２はアーム２２に対して回動可能であり、椅子部２がＡ（＝Ｂ）の方向位置と、浴槽３とは１８０度反対側（浴槽３の外方）のＣの方向位置と、Ａの位置からアーム２２に対して左回りに所定角度だけ回転させたＤの方向位置のいずれか一方の位置で制止できるよう、椅子ストッパー部材３７には、三個の孔３８ａ、３８ｂ、３８ｃが開設されている（図５）。
即ち、椅子部２がアーム２２に対してＡ（＝Ｂ）の方向位置にて制止している時は、椅子ストッパーピン３９が孔３８ａに、椅子部２がＣの方向位置にて制止している時は、椅子ストッパーピン３９が孔３８ｃに、椅子部２がＤの方向位置にて制止している時は、椅子ストッパーピン３９が孔３８ｂにそれぞれ嵌入している。
【００２４】
尚、椅子ストッパーピン３９は、図示しないバネにより上方方向へ常時付勢されているので、椅子ストッパーピン３９を孔３８から抜き出し、椅子部２をアーム２２に対して回転させ、椅子部２が所定位置に至ると椅子ストッパーピン３９は自動的に別の孔３８に嵌入し、椅子部２の回動が制止される。
【００２５】
椅子部２は、背凭れ４１と、該背凭れ４１の下端に軸８５で垂直方向に回動可能に軸着され折り畳みが可能な座部４２とからなり、背凭れ４１は椅子部固定ブラケット２３に取着される。背凭れ４１には、入浴者を背凭れ４１に固定するベルト４３が設けられる。尚、図１中、８１は座部４２に着座した入浴者が掴む握り手である。
【００２６】
本発明を使用する際は、先ず、椅子部２を洗い場９側へセットする。座部４２に入浴者を座らせ、入浴者の上体にベルト４３を掛け背凭れ４１に固定する。操作部４４の上昇スイッチ４５を押下し、シリンダ１３を伸長させる。
【００２７】
上昇スイッチ４５を押すと図示しない油圧ポンプが駆動し、圧油が、空間８７、固定柱５９と昇降柱５８のとの空間３６、及び油通路６４を通ってキー柱６２と昇降柱５８との空間に入り、昇降柱５８を上昇させる。昇降柱５８の上昇中、キー６１がキー溝６３に嵌っているので昇降柱５８は回動が規制され、昇降柱５８の上昇と共に、アーム２２と椅子部２が一体的に上昇する。
【００２８】
次に、介助者は、ストッパーハンドル３２を押し、ストッパーピン３１を孔３０ａから抜き出しストッパー機構２４のストッパー機能を解除し、取っ手８２を掴んで椅子部２を浴槽３側へ回転させる。椅子部２が回転し浴槽３の長手側壁上縁４６を越え、浴槽３上方の所定位置に至ると、ストッパーブラケット２６に取着されたストッパーピン３１がプレート２９に開設された孔３０ｂに自動的に嵌入し、昇降柱５８に対するリフトアーム１４の回転が制止される。
【００２９】
介助者は、下降スイッチ４７を押し、昇降柱５８を下限位置まで下降させ、入浴者を浴槽３内の湯に浸け入浴を行なう。
【００３０】
退浴時は、介助者は、上昇スイッチ４５を押し、椅子部２を上昇させる。ストッパー機構２４のストッパー機能を解除し、椅子部２を洗い場９側へ回転させる。リフトアーム１４が所定位置に至るとストッパーピン３１が一方の孔３０ａに自動的に嵌入し、昇降柱５８に対するリフトアーム１４の回動が制止される。
下降スイッチ４７を押し椅子部２を下降させる。ベルト４３を外し、入浴者を座部４２から降ろし、入浴を終える。
【００３１】
入浴用リフト５を使用しない時には、握り手８１を上方へ回転させ、座部４２の先部を持ち上げ該座部４２を折り畳み、ベルト４３で座部４２を背凭れ４１に括り止める。次に、昇降柱５８を上昇させ、ストッパーハンドル３２を操作し、昇降柱５８を中心に椅子部２を図２中のＣの位置まで回転させる。
【００３２】
椅子ストッパーハンドル４０を押し下げ、リフトアーム１４と椅子部２の間のストッパー機能を解除する。続いて、図２に示すように、リフトアーム１４に対して椅子部２を回転させて、椅子部２の座部４２面を浴槽３とは１８０度反対側の方向位置に向ける。この時、座部４２は浴槽３外方へ位置するので、健常者等が入浴用リフト５を使用しないで入浴する際、椅子部２が入浴の邪魔にならず好都合である。
【実施例２】
【００３３】
図７に示す実施例２は、実施例１の座部４２に下肢持上機構８３を付加設置したものである。具体的には、座部４２の前部に座部軸４９で脚部受け４８を軸着したものである。脚部受け４８は操作部５０を操作することにより座部４２に対して回動可能となっている。
【００３４】
操作部５０は、脚部受け４８の基部側面に軸支され該基部側面に添って位置するハンドル５１と、脚部受け４８の裏面に当接しハンドル５１によって回動するカム５２と、ハンドル５１と座部４２との間に設けられ１８０度回転させた後のハンドル５１の反転（＝戻り回転）を防止する掛止具５３とからなる。掛止具５３は、ハンドル５１裏側に脚部受け４８方向に向かって設けられる疣具５４と、座部４２に開設される受穴５５とからなる。
【００３５】
入浴者を椅子部２に着座させた直後の脚部受け４８は、図７（ａ）の状態となっている。椅子部２を、浴槽３の長手側壁上縁４６を越えさせる際には、図７（ｂ）に示すように、脚部受け４８をハンドル５１の操作で左方向に回転し脚部受け４８の先端側を起立させ、入浴者の下肢を持ち上げる。この状態で、椅子部２を、シリンダ１３を中心に浴槽３側方向に水平に回転させ浴槽３の長手側壁上縁４６を越えさせる。
【００３６】
椅子部２から入浴者を下降させる際は、介助者はハンドル５１の疣具５１を受穴５５から抜き、座部４２とハンドル５１との掛止を解除し、ハンドル５１を逆方向に１８０度回転させ、脚部受け４８の先端側を倒伏させ、持ち上げ状態にしていた入浴者の下肢を元の位置に倒伏させ、入浴者を椅子部２から下降させる。
【実施例３】
【００３７】
図８に示す実施例３は、実施例１の昇降柱５８を外側移動柱１６とし、固定柱５９を内側固定柱１５に代えたものである。シリンダ１３は、ベース部７に立設され内部を空洞とする内側固定柱１５と、内側固定柱１５に冠着され昇降する外側移動柱１６と、外側移動柱１６内にあって頂部から垂下されるスライド角柱１８とからなる。外側移動柱１６の内側壁には、内側固定柱１５の外側壁と摺動しつつ液密を図るシール７９が設けられる。
【００３８】
シリンダ１３には、蓋板１７とスライド角柱１８でなる回動阻止機構５６が構成される。即ち、内側固定柱１５の上端に蓋板１７が設けられ、該蓋板１７には、油が通る油路１９が開けられ、更に、角穴２０が開設される。
【００３９】
該角穴２０にスライド角柱１８が摺接状に貫通する。外側移動柱１６は、昇降は可能であるが、回動はスライド角柱１８の作用により阻止され不可能である。
【実施例４】
【００４０】
図９、１０に示す実施例４は、実施例１の座部４２に空気袋６５を載設したものであり、エアー方式である。
実施例４は、座部４２上の空気袋６５を膨張・収縮させ、空気袋６５でこれに載置した入浴者の下肢を昇降させる。
【００４１】
入浴者が浴槽３の長手側壁上縁４６を越える時、空気袋６５を膨張させて入浴者の下肢を持ち上げ入浴者の足が長手側壁上縁４６にぶつからないようにする。
図９中、７７は空気袋６５に空気を導くチューブであり、７８は空気袋６５に供給するための圧縮空気を作る空気圧縮機、８４は空気袋６５に空気を注入し又は排気をする注入排気弁である。
【実施例５】
【００４２】
図１１に示す実施例５は、実施例２のハンドル５１を、入浴用リフト５に掛け回し連動する索体６６に代えたものであり、連動方式である。
実施例５は、脚部受け４８を昇降させるカム５２を索体６６の張力で回動させる。
【００４３】
入浴用リフト５に並立してポール６７を設け、ポール６７に昇降自在なリング６８を外嵌し、該リング６８に索体６６の基端を止着する。索体６６の先端はカム５２に止着される。
入浴用リフト５が上昇する時、リング６８も索体６６に引かれて上昇する。上昇中の入浴用リフト５が上限より僅か手前に至った時、ポール６７のキャップ６９がリング６８の上昇を阻止する。
【００４４】
引き続いて、入浴用リフト５が上限まで移動すると、入浴用リフト５の頂部８０が索体６６に作用し、索体６６に張力が掛かり、索体６６の先端を引く。張力を有する索体６６はカム５２を回動させ、該カム５２は脚部受け４８の裏面を押し上げ、脚部受け４８を回動させ遊端部を上昇させる。
入浴用リフト５の下降に伴って索体６６は緩み該索体６６の先端は元に戻り、カム５２は逆転し、脚部受け４８を逆回動させ遊端部を下降させ、脚部受け４８を元位置に戻す。
【実施例６】
【００４５】
図１２に示す実施例６は、実施例２のカム５２をリンク機構７０に代えたものであり、リンク方式である。
実施例６のリンク機構７０は、座部４２側から延設されたリンク軸７１と、リンク軸７１に軸支されたリンク部７２と、リンク部７２の先部に延設されたハンドル部７３と、リンク部７２の基部と脚部受け４８とを連結する連結片７４と、連結軸７５と、連結片取付軸７６とからなる。
【００４６】
図１２において、ハンドル部７３を矢印Ｆ方向に略１８０度回転すると、連結片７４が矢印Ｇのように移動し、脚部受け４８は起立状態となる。
ハンドル部７３を矢印Ｆ方向とは逆方向に回転させると脚部受け４８は元位置に戻る。
【実施例７】
【００４７】
図１３に示す実施例７は、実施例１の入浴リフト装置４を浴槽３に一体に設けたものである。
【産業上の利用可能性】
【００４８】
簡素な構成の入浴用リフト装置と小型の浴槽とで構成した入浴装置に適用できる。
【図面の簡単な説明】
【００４９】
【図１】本発明の実施例１の左側面図である。
【図２】実施例１の平面図である。
【図３】実施例１の正面図である。
【図４】実施例１の入浴用リフト装置のストッパー機構を示す部分拡大図である。
【図５】実施例１の入浴用リフト装置の椅子ストッパー機構を示す部分拡大図である。
【図６】実施例１のシリンダを示す部分拡大断面図である。
【図７】実施例２の下肢持上機構を示す側面図であり、（ａ）は脚部受けを持ち上げる前の状態を示す図、（ｂ）は脚部受けを持ち上げた状態を示す図である。
【図８】実施例３のシリンダを示す断面図である。
【図９】実施例４の下肢持上機構を示す図である。
【図１０】実施例４の下肢持上機構の空気袋を膨張させた状態を示す部分拡大図である。
【図１１】実施例５の下肢持上機構を示す図である。
【図１２】実施例６の下肢持上機構を示す図である。
【図１３】実施例７を示す左側面図である。
【符号の説明】
【００５０】
１  椅子部付リフト入浴装置
２  椅子部
３  浴槽
４  入浴用リフト装置
１３  シリンダ
１４  リフトアーム
４１  背凭れ
４２  座部
４８  脚部受け
５０  操作部
５６  回動阻止機構
５８  昇降柱
５９  固定柱
６５  空気袋
７７  チューブ
７８  空気圧縮機
８３  上肢持上機構
８４  注入排気弁
【図１】
2005245768.tif 000003
【図２】
2005245768.tif 000004
【図３】
2005245768.tif 000005
【図４】
2005245768.tif 000006
【図５】
2005245768.tif 000007
【図６】
2005245768.tif 000008
【図７】
2005245768.tif 000009
【図８】
2005245768.tif 000010
【図９】
2005245768.tif 000011
【図１０】
2005245768.tif 000012
【図１１】
2005245768.tif 000013
【図１２】
2005245768.tif 000014
【図１３】
2005245768.tif 000015